(57)【要約】【課題】耐圧を容易に向上させることが可能な積層コンデンサを提供する。【解決手段】積層コンデンサは、コンデンサ素体１と、第１及び第２の信号端子と第１及び第２グランド端子と、第１及び第２の信号電極層２１，２２、第１及び第２のグランド電極層３１，３２、中間電極層４０と、を備える。第１のグランド電極層３１は、第１及び第２のグランド端子と接続され、第１の信号電極層２１と重なる領域３１Ａを有する。第２のグランド電極層３２は、第１及び第２のグランド端子と接続され、第２の信号電極層２２と重なる領域３２Ａを有する。中間電極層４０は、第１の信号電極層２１と第１のグランド電極層３１との間に位置し、且つ、第２の信号電極層２１と第２のグランド電極層３１との間に位置するように配置され、領域３１Ａと重なる領域４０Ａと領域３２Ａと重なる領域４０Ｂとを有している。【選択図】図２
2010045298.tif 000002
【特許請求の範囲】
【請求項１】
複数の誘電体層が積層されたコンデンサ素体と、
前記コンデンサ素体の外表面に配置された、第１の信号端子と第２の信号端子とグランド端子と、
前記コンデンサ素体内に配置された、グランド電極層と第１及び第２の信号電極層と中間電極層と、を備え、
前記第１の信号電極層は、前記第１の信号端子と接続され、
前記第２の信号電極層は、前記第２の信号端子と接続され、
前記グランド電極層は、前記グランド端子と接続され、前記複数の誘電体層が積層された積層方向から見て、前記第１の信号電極層と重なる第１の領域と、前記第２の信号電極層と重なる第２の領域とを有し、
前記中間電極層は、前記第１及び第２の信号端子と前記グランド端子と離間すると共に、前記第１の信号電極層と前記グランド電極層との間に位置し、且つ、前記第２の信号電極層と前記グランド電極層との間に位置するように配置され、前記積層方向から見て前記第１の領域と重なり合う領域と前記第２の領域と重なり合う領域とを有していることを特徴とする積層コンデンサ。
【請求項２】
前記グランド電極層は、前記第１の領域を含む第１のグランド電極層と前記第２の領域を含む第２のグランド電極層とに分割され、
前記第１のグランド電極層と前記第２のグランド電極層とは、互いに離間して配置されていることを特徴とする請求項１に記載の積層コンデンサ。
【請求項３】
前記第１の信号電極層と前記第２の信号電極層とは、互いに異なる層に配置されていることを特徴とする請求項２に記載の積層コンデンサ。
【請求項４】
前記第１のグランド電極層と前記第２のグランド電極層とは、互いに異なる層に配置されていることを特徴とする請求項２又は３に記載の積層コンデンサ。
【請求項５】
前記第１の信号電極層と前記第２のグランド電極層とは、同一層に配置され、
前記第２の信号電極層と前記第１のグランド電極層とは、同一層に配置されていることを特徴とする請求項４記載の積層コンデンサ。
【請求項６】
グランド端子は、第１のグランド端子と第２のグランド端子とを含み、
前記第１の信号電極層は第１の電極部と第２の電極部とに分割され、当該分割された第１の電極部と第２の電極部とは、前記第１の信号端子と接続されると共に互いに離間して配置され、
前記第２の信号電極層は第３の電極部と第４の電極部とに分割され、当該分割された第３の電極部と第４の電極部とは、前記第２の信号端子と接続されると共に互いに離間して配置され、
前記第１のグランド電極層は、前記積層方向から見て、前記第１の電極部と重なる第３の領域を含む第５の電極部と、前記第２の電極部と重なる第４の領域を含む第６の電極部とに分割され、当該分割された第５の電極部と第６の電極部とは互いに離間して配置され、前記第５の電極部は前記第１のグランド端子と接続され、前記第６の電極部は前記第２のグランド端子と接続され、
前記第２のグランド電極層は、前記積層方向から見て、前記第３の電極部と重なる第５の領域を含む第７の電極部と、前記第４の電極部と重なる第６の領域を含む第８の電極部とに分割され、当該分割された第７の電極部と第８の電極部とは互いに離間して配置され、前記第７の電極部は前記第１のグランド端子と接続され、前記第８の電極部は前記第２のグランド端子と接続され、
前記第１の電極部と前記第５の電極部、前記第２の電極部と前記第６の電極部、前記第３の電極部と前記第７の電極部、前記第４の電極部と前記第８の電極部は、それぞれ間に前記中間電極層が配置され
前記中間電極層は、前記積層方向から見て前記第３〜第６の領域と重なり合う領域を有していることを特徴とする請求項３〜５のいずれか一項に記載の積層コンデンサ。
【請求項７】
前記中間電極層は、前記第３の領域と前記第５の領域とを含む第９の電極部と、前記第４の領域と前記第６の領域とを含む第１０の電極部とに分割され、当該分割された第９の電極部と第１０の電極部とは互いに離間して配置されていることを特徴とする請求項６に記載の積層コンデンサ。
【請求項８】
前記第１の電極部と前記中間電極層と前記第５の電極部とによって形成される静電容量と、前記第２の電極部と前記中間電極層と前記第６の電極部とによって形成される静電容量とが、互いに異なることを特徴とする請求項６又は７に記載の積層コンデンサ。
【請求項９】
前記第１の電極部の面積と前記第２の電極部の面積とが異なることを特徴とする請求項８に記載の積層コンデンサ。
【請求項１０】
前記第５の電極部の面積と前記第６の電極部の面積とが異なることを特徴とする請求項８に記載の積層コンデンサ。
【請求項１１】
前記中間電極層は、前記第３の領域と前記第５の領域とを含む第９の電極部と、前記第４の領域と前記第６の領域とを含む第１０の電極部とに分割され、当該分割された第９の電極部と第１０の電極部とは互いに離間して配置され、
前記第９の電極部の面積と前記第１０の電極部の面積とが異なることを特徴とする請求項８に記載の積層コンデンサ。
【請求項１２】
前記コンデンサ素体は、略直方体形状に形成され、互いに対向する第１の短側面と第２の短側面と、互いに対向する第１の長側面と第２の長側面と、を有し、
前記第１の信号端子は、前記第１の短側面に配置され、
前記第２の信号端子は、前記第２の短側面に配置され、
前記第１のグランド端子は、前記第１の長側面に配置され、
前記第２のグランド端子は、前記第２の長側面に配置されていることを特徴とする請求項６〜１１のいずれか一項に記載の積層コンデンサ。
【発明の詳細な説明】
【技術分野】
【０００１】
本発明は、積層コンデンサに関する。
【背景技術】
【０００２】
２ラインの伝送線路におけるノイズ対策用の積層コンデンサが、下記特許文献１に記載されている。この積層コンデンサは、一方の伝送ラインに接続するための第１の信号端子と、他方の伝送ラインに接続するための第２の信号端子と、グランドパッドに接続するための第１と第２のグランド端子とを備え、第１の信号端子と第１のグランド端子との間に接続された第１のコンデンサが形成され、第２の信号端子と第２のグランド端子との間に接続された第２のコンデンサが形成されている。
【特許文献１】特開２００６−５９９７７
【発明の開示】
【発明が解決しようとする課題】
【０００３】
一般的に、第１の信号端子と第１のグランド端子との間に接続された第１のコンデンサと、第２の信号端子と第２のグランド端子との間に接続された第２のコンデンサには、より高い耐圧が求められる。そこで本発明は、耐圧を容易に向上させることが可能な積層コンデンサを提供することを目的とする。
【課題を解決するための手段】
【０００４】
本発明の積層コンデンサは、複数の誘電体層が積層されたコンデンサ素体と、コンデンサ素体の外表面に配置された、第１の信号端子と第２の信号端子とグランド端子と、コンデンサ素体内に配置された、グランド電極層と第１及び第２の信号電極層と中間電極層と、を備え、第１の信号電極層は、第１の信号端子と接続され、第２の信号電極層は、第２の信号端子と接続され、グランド電極層は、グランド端子と接続され、複数の誘電体層が積層された積層方向から見て、第１の信号電極層と重なる第１の領域と、第２の信号電極層と重なる第２の領域とを有し、中間電極層は、第１及び第２の信号端子とグランド端子と離間すると共に、第１の信号電極層とグランド電極層との間に位置し、且つ、第２の信号電極層とグランド電極層との間に位置するように配置され、積層方向から見て第１の領域と重なり合う領域と第２の領域と重なり合う領域とを有していることを特徴とする。
【０００５】
本発明の積層コンデンサでは、中間電極層と第１の信号端子に接続された第１の信号電極層とによってコンデンサが形成され、中間電極層と第２の信号端子に接続された第２の信号電極層とによってコンデンサが形成され、中間電極層とグランド端子に接続されたグランド電極層とによってコンデンサが形成される。このため、第１の信号端子と第２の信号端子との間、第１の信号端子とグランド端子との間、第２の信号端子とグランド端子との間には、直列に接続された２つのコンデンサがそれぞれ形成される。よって、耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。また、中間電極層は、複数のコンデンサにおいて共有されるので、簡易な構成で各端子間に直列接続された２つのコンデンサを形成すると共に、積層コンデンサの小型化を図ることができる。
【０００６】
好ましくは、グランド電極層は、第１の領域を含む第１のグランド電極層と第２の領域を含む第２のグランド電極層とに分割され、第１のグランド電極層と第２のグランド電極層とは、互いに離間して配置されている。
【０００７】
この場合、中間電極層と第１の信号電極層とによってコンデンサが形成され、中間電極層と第２の信号電極層とによってコンデンサが形成され、中間電極層と第１のグランド電極層とによってコンデンサが形成され、中間電極層と第２のグランド電極層とによってコンデンサが形成される。このため、第１の信号端子と第２の信号端子との間、第１の信号端子と第１のグランド端子との間、第２の信号端子と第２のグランド端子との間には、それぞれ直列に接続された２つのコンデンサが形成される。特に、第１の信号端子とグランド端子との間の２つのコンデンサと、第２の信号端子とグランド端子との間の２つのコンデンサは、互いに異なるコンデンサである。このため、第１の信号端子とグランド端子との間に形成された２つのコンデンサと、第２の信号端子とグランド端子との間に形成された２つのコンデンサとの間で発生するクロストークを抑制できる。
【０００８】
好ましくは、第１の信号電極層と第２の信号電極層とは、互いに異なる層に配置されている。
【０００９】
この場合、第１の信号電極層と第２の信号電極層とをより離して配置することができる。このため、第１の信号端子とグランド端子との間に形成された２つのコンデンサと、第２の信号端子とグランド端子との間に形成された２つのコンデンサとの間で発生するクロストークをより抑制できる。
【００１０】
好ましくは、第１のグランド電極層と第２のグランド電極層とは、互いに異なる層に配置されている。
【００１１】
この場合、第１のグランド電極層と第２のグランド電極層とをより離して配置することができる。このため、第１の信号端子とグランド端子との間に形成された２つのコンデンサと、第２の信号端子とグランド端子との間に形成された２つのコンデンサとの間で発生するクロストークをより抑制できる。
【００１２】
好ましくは、第１の信号電極層と第２のグランド電極層とは、同一層に配置され、第２の信号電極層と第１のグランド電極層とは、同一層に配置されている。
【００１３】
この場合、第１の信号電極層と第２の信号電極層とを異なる層に配置し、且つ、第１のグランド電極層と第２のグランド電極層とを異なる層に配置し、更に、積層数の増大を抑制できる。よって、積層コンデンサの低背化を実現すると共に、第１の信号端子とグランド端子との間に形成された２つのコンデンサと、第２の信号端子とグランド端子との間に形成された２つのコンデンサとの間で発生するクロストークをより抑制できる。
【００１４】
好ましくは、グランド端子は、第１のグランド端子と第２のグランド端子とを含み、第１の信号電極層は第１の電極部と第２の電極部とに分割され、当該分割された第１の電極部と第２の電極部とは、第１の信号端子と接続されると共に互いに離間して配置され、第２の信号電極層は第３の電極部と第４の電極部とに分割され、当該分割された第３の電極部と第４の電極部とは、第２の信号端子と接続されると共に互いに離間して配置され、第１のグランド電極層は、積層方向から見て、第１の電極部と重なる第３の領域を含む第５の電極部と、第２の電極部と重なる第４の領域を含む第６の電極部とに分割され、当該分割された第５の電極部と第６の電極部とは互いに離間して配置され、第５の電極部は第１のグランド端子と接続され、第６の電極部は第２のグランド端子と接続され、第２のグランド電極層は、積層方向から見て、第３の電極部と重なる第５の領域を含む第７の電極部と、第４の電極部と重なる第６の領域を含む第８の電極部とに分割され、当該分割された第７の電極部と第８の電極部とは互いに離間して配置され、第７の電極部は第１のグランド端子と接続され、第８の電極部は第２のグランド端子と接続され、第１の電極部と第５の電極部、第２の電極部と第６の電極部、第３の電極部と第７の電極部、第４の電極部と第８の電極部は、それぞれ間に中間電極層が配置され、中間電極層は、積層方向から見て第３〜第６の領域と重なり合う領域を有している。
【００１５】
この場合、中間電極層と第１の電極部、中間電極層と第２の電極部、中間電極層と第３の電極部、中間電極層と第４の電極部、中間電極層と第５の電極部、中間電極層と第６の電極部、中間電極層と第７の電極部、中間電極層と第８の電極部とによってコンデンサが形成される。このため、第１の信号端子と第１のグランド端子との間、第１の信号端子と第２のグランド端子との間、第２の信号端子と第１のグランド端子との間、第２の信号端子と第２のグランド端子との間に、直列に接続された２つのコンデンサがそれぞれ形成される。よって、各端子間の耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。また、第１及び第２の信号電極層と第１及び第２のグランド電極層とがそれぞれ電極部に分割されているので、これらの電極部によって形成されるコンデンサ間のクロストークを抑制できる。
【００１６】
好ましくは、中間電極層は、第３の領域と第５の領域とを含む第９の電極部と、第４の領域と第６の領域とを含む第１０の電極部とに分割され、当該分割された第９の電極部と第１０の電極部とは互いに離間して配置されている。
【００１７】
この場合、第９の電極部は、第２，第４，第６，第８の電極部と積層方向に対向しない。第１０の電極部は、第１，第３，第５，第７の電極部と積層方向に対向しない。よって、第１，第３，第５，第７，第９の電極部が寄与して形成されるコンデンサと、第２，第４，第６，第８，第１０の電極部とが寄与して形成されるコンデンサとの間で発生するクロストークを抑制できる。
【００１８】
好ましくは、第１の電極部と中間電極層と第５の電極部とによって形成される静電容量と、第２の電極部と中間電極層と第６の電極部とによって形成される静電容量とが、互いに異なる。
【００１９】
この場合、第１の信号端子と第１のグランド端子との間に形成されたコンデンサの静電容量と、第１の信号端子と第２のグランド端子との間に形成されたコンデンサの静電容量とが互いに異なる。すなわち第１の信号端子と第１及び第２のグランド端子との間に並列接続されたコンデンサの静電容量が互いに異なる。よって、低インピーダンスである帯域を広くすることができる。
【００２０】
好ましくは、第１の電極部の面積と第２の電極部の面積とが異なる。
【００２１】
この場合、第１の電極部と中間電極層とによって形成される静電容量と、第２の電極層と中間電極層とによって形成される静電容量と、を容易に異ならせることができる。すなわち、第１の電極部と中間電極層と第５の電極部とによって形成される静電容量と、第２の電極部と中間電極層と第６の電極部とによって形成される静電容量とを容易に異ならせることができる。
【００２２】
好ましくは、第５の電極部の面積と第６の電極部の面積とが異なる。
【００２３】
この場合、第５の電極部と中間電極層とによって形成される静電容量と、第６の電極層と中間電極層とによって形成される静電容量と、を容易に異ならせることができる。すなわち、第１の電極部と中間電極層と第５の電極部とによって形成される静電容量と、第２の電極部と中間電極層と第６の電極部とによって形成される静電容量とを容易に異ならせることができる。
【００２４】
好ましくは、中間電極層は、第３の領域と第５の領域とを含む第９の電極部と、第４の領域と第６の領域とを含む第１０の電極部とに分割され、当該分割された第９の電極部と第１０の電極部とは互いに離間して配置され、第９の電極部の面積と第１０の電極部の面積とが異なる。
【００２５】
この場合、第１の電極部と第５の電極部と第９の電極部によって形成される静電容量と、第２の電極部と第６の電極部と第１０の電極部によって形成される静電容量とを容易に異ならせることができる。すなわち第１の信号端子と第１及び第２のグランド端子との間に並列接続されたコンデンサの静電容量が互いに異なる。よって、低インピーダンスである帯域を広くすることができる。
【００２６】
好ましくは、コンデンサ素体は、略直方体形状に形成され、互いに対向する第１の短側面と第２の短側面と、互いに対向する第１の長側面と第２の長側面と、を有し、第１の信号端子は、第１の短側面に配置され、第２の信号端子は、第２の短側面に配置され、第１のグランド端子は、第１の長側面に配置され、第２のグランド端子は、第２の長側面に配置されている。
【発明の効果】
【００２７】
本発明によれば、耐圧を容易に向上させることが可能な積層コンデンサを提供することができる。
【発明を実施するための最良の形態】
【００２８】
以下、添付図面を参照して、本発明を実施するための最良の形態を詳細に説明する。なお、図面の説明において同一の要素に同一の符号を付し、重複する説明を省略する。
【００２９】
（第１実施形態）
図１〜図４を参照して、本実施形態に係る積層コンデンサＣ１の構成について説明する。図１は、本実施形態に係る積層コンデンサの斜視図である。図２は、本実施形態に係る積層コンデンサに含まれるコンデンサ素体の分解斜視図である。図３は、本実施形態に係る積層コンデンサの断面構成を示す図である。図４は、本実施形態に係る積層コンデンサの等価回路図である。
【００３０】
図１に示されるように、積層コンデンサＣ１は、コンデンサ素体１を有する。このコンデンサ素体１は、略直方体状であり、互いに対向する長方形状の第１の主面２及び第２の主面３と、互いに対向する第１の短側面４及び第２の短側面５と、互いに対向する第１の長側面６及び第２の長側面７と、を有している。
【００３１】
積層コンデンサＣ１は、コンデンサ素体１の外表面に互いに離間して配置された第１の信号端子１１と第２の信号端子１２と第１のグランド端子１３と第２のグランド端子１４とを備える。
【００３２】
第１の信号端子１１は、コンデンサ素体１の第１の短側面４に配置されている。第１の信号端子１１は、第１の短側面４の全面を覆い、第１及び第２の主面２，３並びに第１及び第２の長側面６，７の端部（第１の側面４側の端部）に亘って形成されている。第２の信号端子１２は、コンデンサ素体１の第２の短側面５に配置されている。第２の信号端子１２は、第２の長側面５の全面を覆い、第１及び第２の主面２，３並びに第１及び第２の長側面６，７の端部（第１の側面５側の端部）に亘って形成されている。
【００３３】
第１のグランド端子１３は、コンデンサ素体１の第１の長側面６に配置されている。第１のグランド端子１３は、第１の長側面６上において、第１及び第２の短側面４，５の対向方向での略中央部を覆い、第１の主面２及び第２の主面３に亘って形成されている。第２のグランド端子１４は、コンデンサ素体１の第２の長側面７に配置されている。第２のグランド端子１４は、第２の長側面７上において、第１及び第２の短側面４，５の対向方向での略中央部を覆い、第１の主面２及び第２の主面３に亘って形成されている。第１のグランド端子１３と第２のグランド端子１４とは、第１及び第２の長側面６，７の対向方向で対向している。
【００３４】
第１及び第２の信号端子１１，１２と第１及び第２のグランド端子１３，１４は、例えば導電性金属粉末及びガラスフリットを含む導電性ペーストをコンデンサ素体１の外表面の塗布し、焼き付けることによって形成される。必要に応じて、焼き付けられた第１及び第２の信号端子１１，１２と第１及び第２のグランド端子１３，１４の上にめっき層が形成されることもある。
【００３５】
図２に示されるように、コンデンサ素体１は、複数の誘電体層９を有している。コンデンサ素体１は、複数の誘電体層９が第１及び第２の主面２，３が対向する方向に積層されることにより構成されている。各誘電体層９は、例えば誘電体セラミック（ＢａＴｉＯ３系、Ｂａ(Ｔｉ，Ｚｒ)Ｏ３系、又は（Ｂａ，Ｃａ）ＴｉＯ３系等の誘電体セラミック）を含むセラミックグリーンシートの焼結体から構成され、誘電体としての特性を有する。なお、実際の積層コンデンサＣ１では、各誘電体層９は、互いの間の境界が視認できない程度に一体化されている。
【００３６】
図２及び図３に示されるように、積層コンデンサＣ１は、第１及び第２の信号電極層２１，２２と、第１及び第２のグランド電極層３１，３２と、中間電極層４０とを備えている。第１及び第２の信号電極層２１，２２と、第１及び第２のグランド電極層３１，３２と、中間電極層４０とは、積層型の電気素子の内部電極として通常用いられる導電性材料（例えば、卑金属であるＮｉ等）からなる。第１及び第２の信号電極層２１，２２と、第１及び第２のグランド電極層３１，３２と、中間電極層４０とは、上記導電性材料を含む導電性ペーストの焼結体として構成される。
【００３７】
第１及び第２の信号電極層２１，２２と、第１及び第２のグランド電極層３１，３２と、中間電極層４０とは、コンデンサ素体１内に誘電体層９と平行に誘電体層９に挟まれて配置されている。第１の信号電極層２１と第２のグランド電極層３２とが、同一層（第１層５１）に互いに離間して並んで配置されている。第２の信号電極層２２と第１のグランド電極層３１とが、同一層（第３層５３）に互いに離間して並んで配置されている。
【００３８】
第１層５１と第３層５３との間の第２層５２に、中間電極層４０が配置されている。第１層５１と第２層５２との間、第２層５２と第３層５３との間には、それぞれ厚みが同程度の誘電体層９が配置されている。
【００３９】
第１の信号電極層２１は、第１層５１の第１の短側面４側に配置されている。第１の信号電極層２１は、略矩形状に形成され、その矩形状を構成する一辺が第１の短側面４に露出している。このため、第１の信号電極層２１は、第１の短側面４を覆う第１の信号端子１１と物理的且つ電気的に接続されている。第１の信号電極層２１は、矩形状を構成するその他の三辺がそれぞれ第２の短側面５，第１及び第２の長側面６，７と離間するように配置されている。
【００４０】
第１のグランド電極層３１は、第３層５３の第１の短側面４側に配置されている。第１のグランド電極層３１は、略矩形状に形成されている。この矩形状を構成する第２の短側面５側の一辺は、第２の短側面５と離間し、その他の三辺についても、それぞれ第１の短側面４、第１及び第２の長側面６，７と離間するように、第１のグランド電極層３１は配置されている。
【００４１】
第１のグランド電極層３１は、第１の長側面６側の一辺における第２の短側面５側の部分が第１の長側面６まで引き出されて、その端部が第１の長側面６に露出した引き出し部３３を有している。この第１の長側面６に露出した引き出し部３３の端部を覆うように第１のグランド端子１３が形成されているので、第１のグランド電極層３１と第１のグランド端子１３とが、物理的且つ電気的に接続されている。
【００４２】
第１のグランド電極層３１は、第２の長側面７側の一辺における第２の短側面５側の部分が第２の長側面７まで引き出されて、その端部が第２の長側面７に露出した引き出し部３３を有している。この第２の長側面７に露出した引き出し部３３の端部を覆うように第２のグランド端子１４が形成されているので、第１のグランド電極層３１と第２のグランド端子１４とが、物理的且つ電気的に接続されている。
【００４３】
第１の信号電極層２１と第１のグランド電極層３１とは、積層方向から見て、第１の信号電極層２１及び第１のグランド電極層３１をそれぞれ画成する第２の短側面５，第１及び第２の長側面６，７と平行な三辺が重なるように、配置されている。このため、第１の信号電極層２１は、積層方向から見て、第１のグランド電極層３１と重なる略矩形状の領域２１Ａを有する。第１のグランド電極層３１は、積層方向から見て、第１の信号電極層２１と重なる略矩形状の領域（第１の領域）３１Ａを有する。
【００４４】
第２の信号電極層２２は、第３層５３の第２の短側面５側に配置されている。第２の信号電極層２２は、略矩形状に形成され、その矩形状を構成する一辺が第２の短側面５に露出している。このため、第２の信号電極層２２は、第２の短側面５を覆う第２の信号端子１２と物理的且つ電気的に接続されている。第２の信号電極層２２は、矩形状を構成するその他の三辺がそれぞれ第１の短側面４，第１及び第２の長側面６，７と離間するように配置されている。なお、第２の信号電極層２２は、第１の信号電極層２１と略同形状且つ同程度の大きさである。
【００４５】
第２のグランド電極層３２は、第１層５１の第２の短側面５側に配置されている。第２のグランド電極層３２は、略矩形状に形成されている。この矩形状を構成する第１の短側面４側の一辺は、第１の短側面４と離間し、その他の三辺は、それぞれ第２の短側面５、第１及び第２の長側面６，７と離間するように、第２のグランド電極層３２は配置されている。なお、第２のグランド電極層３２は、第１のグランド電極層３１と略同形状且つ同程度の大きさである。
【００４６】
第２のグランド電極層３２は、第１の長側面６側の一辺における第１の短側面４側の部分が第１の長側面６まで引き出されて、その端部が第１の長側面６に露出した引き出し部３４を有している。この第１の長側面６に露出した引き出し部３４の端部を覆うように第１のグランド端子１３が形成されているので、第２のグランド電極層３２と第１のグランド端子１３とが、物理的且つ電気的に接続されている。
【００４７】
第２のグランド電極層３２は、第２の長側面７側の一辺における第１の短側面４側の部分が第２の長側面７まで引き出されて、その端部が第２の長側面７に露出した引き出し部３４を有している。この第２の長側面７に露出した引き出し部３４の端部を覆うように第２のグランド端子１４が形成されているので、第２のグランド電極層３２と第２のグランド端子１４とが、物理的且つ電気的に接続されている。
【００４８】
第２の信号電極層２２と第２のグランド電極層３２とは、積層方向から見て、第２の信号電極層２２及び第２のグランド電極層３２をそれぞれ画成する第１の短側面４，第１及び第２の長側面６，７と平行な三辺が重なるように、配置されている。このため、第２の信号電極層２２は、積層方向から見て、第２のグランド電極層３２と重なる略矩形状の領域２２Ａを有する。第２のグランド電極層３２は、積層方向から見て、第２の信号電極層２２と重なる略矩形状の領域（第２の領域）３２Ａを有する。
【００４９】
中間電極層４０は、略矩形状に形成され、この矩形状を形成する四辺が、第１及び第２の短側面４，５と第１及び第２の長側面６，７とそれぞれ平行で、離間して配置されている。中間電極層４０は、第１の短側面４と第１及び第２の長側面６，７とそれぞれ平行な三辺が、積層方向から見て、第１のグランド電極層３１の第１の短側面４と第１及び第２の長側面６，７とそれぞれ平行な三辺と重なり合うように配置されている。中間電極層４０は、第２の短側面５と第１及び第２の長側面６，７とそれぞれ平行な三辺が、積層方向から見て、第２のグランド電極層３２の第２の短側面５と第１及び第２の長側面６，７とそれぞれ平行な三辺と重なり合うように配置されている。
【００５０】
中間電極層４０は、積層方向から見て、第１のグランド電極層３１の領域３１Ａと重なり合う領域４０Ａを有している。すなわち、中間電極層４０の領域４０Ａと第１のグランド電極層３１の領域３１Ａと第１の信号電極層２１の領域２１Ａとは、積層方向から見て重なっている。
【００５１】
このため、中間電極層４０の領域４０Ａと第１の信号電極層２１の領域２１Ａとは、誘電体層９を介して積層方向に互いに対向し、第１のコンデンサＣ１１を構成している。中間電極層４０の領域４０Ａと第１のグランド電極層３１の領域３１Ａとは、誘電体層９を介して積層方向に互いに対向し、第２のコンデンサＣ１２を構成している。
【００５２】
この第１のコンデンサＣ１１と第２のコンデンサＣ１２とは、それぞれのコンデンサを構成する電極層の対向面積及び対向距離が同程度である。すなわち、第１のコンデンサＣ１１の静電容量と第２のコンデンサＣ１２の静電容量とは、同程度である。
【００５３】
中間電極層４０は、積層方向から見て、第２のグランド電極層３２の領域３２Ａと重なり合う領域４０Ｂを有している。すなわち、中間電極層４０の領域４０Ｂと第２のグランド電極層３２の領域３２Ａと第２の信号電極層２２の領域２２Ａとは、積層方向から見て重なっている。
【００５４】
このため、中間電極層４０の領域４０Ｂと第２の信号電極層２２の領域２２Ａとは、誘電体層９を介して積層方向に互いに対向し、第３のコンデンサＣ１３を構成している。中間電極層４０の領域４０Ｂと第２のグランド電極層３２の領域３２Ａとは、誘電体層９を介して積層方向に互いに対向し、第４のコンデンサＣ１４を構成している。
【００５５】
この第３のコンデンサＣ１３と第４のコンデンサＣ１４とは、それぞれのコンデンサを構成する電極層の対向面積及び対向距離が同程度である。すなわち、第３のコンデンサＣ１３の静電容量と第４のコンデンサＣ１４の静電容量とは、同程度である。
【００５６】
このように構成された積層コンデンサＣ１では、第１の信号端子１１と第２の信号端子１２とは、互いに絶縁され、この第１及び第２の信号端子１１，１２は、第１及び第２のグランド端子１３，１４と絶縁されている。
【００５７】
図４に示されるように、積層コンデンサＣ１では、第１の信号端子１１と第１及び第２のグランド端子１３，１４との間に、第１のコンデンサＣ１１と第２のコンデンサＣ１２とが直列接続されている。第２の信号端子１２と第１及び第２のグランド端子１３，１４との間に、第３のコンデンサＣ１３と第４のコンデンサＣ１４とが直列接続されている。第１の信号端子１１と第２の信号端子１２との間に、第１のコンデンサＣ１１と第３のコンデンサＣ１３とが直列接続されている。
【００５８】
積層コンデンサＣ１は、第１の主面２又は第２の主面３が他の部品（例えば、回路基板や電子部品等）に対向して実装される。例えば、差動伝送ライン等を構成する２つの信号伝送ラインＳＬにそれぞれ第１の信号端子１１と第２の信号端子１２とが接続される。第１及び第２のグランド端子１３，１４は、グランドラインＧＬにそれぞれ接続される。これにより、積層コンデンサＣ１は、一つで、２つの信号伝送ラインＳＬのノイズを除去する機能を発揮する。
【００５９】
以上のように、本実施形態によれば、第１の信号端子１１と第２の信号端子１２との間、第１の信号端子１１と第１及び第２のグランド端子１３、１４との間、第２の信号端子１２と第１及び第２のグランド端子１３，１４との間には、直列に接続された２つのコンデンサがそれぞれ形成される。よって、各端子間の耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。
【００６０】
本実施形態によれば、第１のコンデンサＣ１１の形成に寄与する第１の信号電極層２１と第３のコンデンサＣ１３の形成に寄与する第２の信号電極層２２とが、互いに離れて配置されている。このため、第１のコンデンサＣ１１と第３のコンデンサＣ１３との間に発生するクロストークを抑制できる。特に、第１の信号電極層２１と第２の信号電極層２２とは、互いに異なる層に配置されているので、第１の信号電極層２１と第２の信号電極層２２との間の距離をより大きくすることができる。このため、第１のコンデンサＣ１１と第３のコンデンサＣ１３との間に発生するクロストークを更に抑制できる。
【００６１】
本実施形態によれば、第２のコンデンサＣ１２の形成に寄与する第１のグランド電極層３１と第４のコンデンサＣ１４の形成に寄与する第２のグランド電極層３２とが互いに離れて配置されている。このため、第２のコンデンサＣ１２と第４のコンデンサＣ１４との間に発生するクロストークを抑制できる。特に、第１のグランド電極層３１と第２のグランド電極層３２とは、互いに異なる層に配置されているので、第１のグランド電極層３１と第２のグランド電極層３２との間の距離をより大きくすることができる。このため、第２のコンデンサＣ１２と第４のコンデンサＣ１４との間に発生するクロストークを更に抑制できる。
【００６２】
本実施形態によれば、第１の信号電極層２１と第２のグランド電極層３２とが、同一層に配置され、第２の信号電極層２２と第１のグランド電極層３１とが、同一層に配置されている。このため、第１の信号電極層２１と第２の信号電極層２２とを互いに異なる層に配置し、且つ、第１のグランド電極層３１と第２のグランド電極層３２とを互いに異なる層に配置できる。更に、形成される第１〜第４のコンデンサＣ１１〜Ｃ１４において所望の静電容量を得るための第１及び第２の信号電極層２１，２２と第１及び第２のグランド電極層３１，３２と誘電体層９の積層総数を少なくできるため、積層コンデンサＣ１（コンデンサ素体１）の低背化を図ることができる。
【００６３】
本実施形態によれば、第１及び第２の信号電極層２１，２２と第１及び第２のグランド電極層３１，３２をそれぞれ誘電体層９を介して中間電極層４０と対向するように配置して、第１〜第４のコンデンサＣ１１〜Ｃ１４を形成している。すなわち、第１〜第４のコンデンサＣ１１〜Ｃ１４は、中間電極層４０を共有して形成されている。このため、積層コンデンサＣ１の小型化を実現できる。
【００６４】
更に、中間電極層４０は、第１のコンデンサＣ１１と第２のコンデンサＣ１２とを直列接続する機能、第１のコンデンサＣ１１と第３のコンデンサＣ１３とを直列接続する機能、第３のコンデンサＣ１３と第４のコンデンサＣ１４とを直列接続する機能を兼ねている。このため、積層コンデンサＣ１の小型化を実現できる。
【００６５】
引き続いて、本発明に係るその他の実施形態について説明する。その他の実施形態に係る積層コンデンサは、第１実施形態に係る積層コンデンサＣ１と比べて、信号電極層、グランド電極層、中間電極層の構成が異なる。以下、第１実施形態の積層コンデンサＣ１と異なる構成について主に説明し、同じ構成については説明を省略する。
【００６６】
（第２実施形態）
図５，図６を参照して、第２実施形態に係る積層コンデンサＣ２の構成について説明する。図５は、本実施形態に係る積層コンデンサに含まれるコンデンサ素体の分解斜視図である。図６は、本実施形態に係る積層コンデンサの等価回路図である。
【００６７】
図５に示されるように、本実施形態に係る積層コンデンサＣ２は、上記第１及び第２の信号電極層２１，２２に替えて、第１〜第４の信号電極層６１〜６４を備える。積層コンデンサＣ２は、上記第１及び第２のグランド電極層３１，３２に替えて、第１〜第４のグランド電極層７１〜７４を備える。積層コンデンサＣ２は、上記中間電極層４０に替えて、中間電極層４１を備える。
【００６８】
第１の信号電極層（第１の電極部）６１と第２の信号電極層（第２の電極部）６２とは、上記第１の信号電極層２１を第１及び第２の長側面６，７の対向方向の中央部で、第１の長側面６と平行なラインにそって二分割した形状である。第１の信号電極層６１と第２の信号電極層６２とは、第１層５１において互いに離間して配置されている。第１及び第２の信号電極層６１，６２は、それぞれの端部が第１の短側面４に露出して、第１の短側面４に形成された第１の信号端子１１と物理的且つ電気的に接続されている。
【００６９】
第１のグランド電極層（第５の電極部）７１と第２のグランド電極層（第６の電極部）７２とは、上記第１のグランド電極層３１を第１及び第２の長側面６，７の対向方向の中央部で、第１の長側面６と平行なラインにそって二分割した形状である。第１のグランド電極層７１と第２のグランド電極層７２とは、第３層５３において互いに離間して配置されている。
【００７０】
第１のグランド電極層７１は、第１の長側面６側の一辺における第２の短側面５側の部分が第１の長側面６まで引き出されて、その端部が第１の長側面６に露出した引き出し部７５を有している。これにより、第１のグランド電極層７１は、第１の長側面６に形成された第１のグランド端子１３と物理的且つ電気的に接続されている。
【００７１】
第２のグランド電極層７２は、第２の長側面７側の一辺における第２の短側面５側の部分が第２の長側面７まで引き出されて、その端部が第２の長側面７に露出した引き出し部７６を有している。これにより、第２のグランド電極層７２は、第２の長側面７に形成された第２のグランド端子１４と物理的且つ電気的に接続されている。
【００７２】
第１の信号電極層６１と第１のグランド電極層７１とは、積層方向から見て重なるように配置されている。第１の信号電極層６１が有する領域６１Ａと第１のグランド電極層７１が有する領域７１Ａとは、積層方向から見て互いに重なる領域である。第２の信号電極層６２と第２のグランド電極層７２とは、積層方向から見て重なるように配置されている。第２の信号電極層６２が有する領域６２Ａと第２のグランド電極層７２が有する領域７２Ａとは、積層方向から見て互いに重なる領域である。
【００７３】
第３の信号電極層（第３の電極部）６３と第４の信号電極層（第４の電極部）６４とは、上記第２の信号電極層２２を第１及び第２の長側面６，７の対向方向の中央部で、第１の長側面６と平行なラインにそって二分割した形状である。第３の信号電極層６３と第４の信号電極層６４とは、第３層５３において互いに離間して配置されている。第３及び第４の信号電極層６３，６４は、それぞれの端部が第２の短側面５に露出して、第２の短側面５に形成された第２の信号端子１２と物理的且つ電気的に接続されている。
【００７４】
第３のグランド電極層（第７の電極部）７３と第４のグランド電極層（第８の電極部）７４とは、上記第２のグランド電極層３２を第１及び第２の長側面６，７の対向方向の中央部で、第１の長側面６と平行なラインにそって二分割した形状である。第３のグランド電極層７３と第４のグランド電極層７４とは、第１層５１において互いに離間して配置されている。
【００７５】
第３のグランド電極層７３は、第１の長側面６側の一辺における第１の短側面４側の部分が第１の長側面６まで引き出されて、その端部が第１の長側面６に露出した引き出し部７７を有している。これにより、第３のグランド電極層７３は、第１の長側面６に形成された第１のグランド端子１３と物理的且つ電気的に接続されている。
【００７６】
第４のグランド電極層７４は、第２の長側面７側の一辺における第１の短側面４側の部分が第２の長側面７まで引き出されて、その端部が第２の長側面７に露出した引き出し部７８を有している。これにより、第４のグランド電極層７４は、第２の長側面７に形成された第２のグランド端子１４と物理的且つ電気的に接続されている。
【００７７】
第３の信号電極層６３と第３のグランド電極層７３とは、積層方向から見て重なるように配置されている。第３の信号電極層６３が有する領域６３Ａと第３のグランド電極層７３が有する領域７３Ａとは、積層方向から見て互いに重なる領域である。第４の信号電極層６４と第４のグランド電極層７４とは、積層方向から見て重なるように配置されている。第４の信号電極層６４が有する領域６４Ａと第４のグランド電極層７４が有する領域７４Ａとは、積層方向から見て互いに重なる領域である。
【００７８】
中間電極層４１は、上記中間電極層４１と同形状で同位置に配置されている。中間電極層４１は、積層方向から見て、第１の信号電極層６１の領域６１Ａ及び第１のグランド電極層７１の領域７１Ａと重なり合う領域４１Ａを有している。このため、中間電極層４１の領域４１Ａと第１の信号電極層６１の領域６１Ａとは、誘電体層９を介して積層方向に互いに対向し、第１のコンデンサＣ２１を構成している。中間電極層４１の領域４１Ａと第１のグランド電極層７１の領域７１Ａとは、誘電体層９を介して積層方向に互いに対向し、第２のコンデンサＣ２２を構成している。
【００７９】
中間電極層４１は、積層方向から見て、第２の信号電極層６２の領域６２Ａ及び第２のグランド電極層７２の領域７２Ａと重なり合う領域４１Ｂを有している。このため、中間電極層４１の領域４１Ｂと第２の信号電極層６２の領域６２Ａとは、誘電体層９を介して積層方向に互いに対向し、第３のコンデンサＣ２３を構成している。中間電極層４１の領域４１Ｂと第２のグランド電極層７２の領域７２Ａとは、誘電体層９を介して積層方向に互いに対向し、第４のコンデンサＣ２４を構成している。
【００８０】
中間電極層４１は、積層方向から見て、第３の信号電極層６３の領域６３Ａ及び第３のグランド電極層７３の領域７３Ａと重なり合う領域４１Ｃを有している。このため、中間電極層４１の領域４１Ｃと第３の信号電極層６３の領域６３Ａとは、誘電体層９を介して積層方向に互いに対向し、第５のコンデンサＣ２５を構成している。中間電極層４１の領域４１Ｃと第３のグランド電極層７３の領域７３Ａとは、誘電体層９を介して積層方向に互いに対向し、第６のコンデンサＣ２６を構成している。
【００８１】
中間電極層４１は、積層方向から見て、第４の信号電極層６４の領域６４Ａ及び第４のグランド電極層７４の領域７４Ａと重なり合う領域４１Ｄを有している。このため、中間電極層４１の領域４１Ｄと第４の信号電極層６４の領域６４Ａとは、誘電体層９を介して積層方向に互いに対向し、第７のコンデンサＣ２７を構成している。中間電極層４１の領域４１Ｄと第４のグランド電極層７４の領域７４Ａとは、誘電体層９を介して積層方向に互いに対向し、第８のコンデンサＣ２８を構成している。
【００８２】
積層コンデンサＣ２において構成される第１〜第８のコンデンサＣ２１〜Ｃ２８は、それぞれのコンデンサを構成する電極層の対向面積及び対向距離が同程度である。すなわち、第１〜第８のコンデンサＣ２１〜Ｃ２８の静電容量は、同程度である。
【００８３】
このように構成された積層コンデンサＣ２では、第１の信号端子１１と第２の信号端子１２とは、互いに絶縁され、この第１及び第２の信号端子１１，１２は、第１及び第２のグランド端子１３，１４と絶縁されている。
【００８４】
図６に示されるように、積層コンデンサＣ２では、第１の信号端子１１と第１のグランド端子１３との間に、第１のコンデンサＣ２１と第２のコンデンサＣ２２との２つのコンデンサが直列接続されている。第１の信号端子１１と第２のグランド端子１４との間に、第３のコンデンサＣ２３と第４のコンデンサＣ２４との２つのコンデンサが直列接続されている。第２の信号端子１２と第１のグランド端子１３との間に、第５のコンデンサＣ２５と第６のコンデンサＣ２６との２つのコンデンサが直列接続されている。第２の信号端子１２と第２のグランド端子１４との間に、第７のコンデンサＣ２７と第８のコンデンサＣ２８との２つのコンデンサが直列接続されている。よって、各端子間の耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。
【００８５】
本実施形態によれば、第１及び第２のコンデンサＣ２１，Ｃ２２の形成に寄与する第１の信号電極層６１及び第１のグランド電極層７１は、第３〜第８のコンデンサＣ２３〜Ｃ２８の形成に寄与する第２〜第４の信号電極層６３〜６４及び第２〜第４のグランド電極層７２〜７４と積層方向に重ならない。これにより、第１及び第２のコンデンサＣ２１，Ｃ２２と第３〜第８のコンデンサＣ２３〜Ｃ２８との間のクロストークを抑制できる。
【００８６】
同様に、第２の信号電極層６２及び第２のグランド電極層７２は、他の信号電極層及び他のグランド電極層と積層方向に重ならない。第３の信号電極層６３及び第３のグランド電極層７３は、他の信号電極層及び他のグランド電極層と積層方向に重ならない。第４の信号電極層６４及び第４のグランド電極層７４は、他の信号電極層及び他のグランド電極層と積層方向に重ならない。このため、クロストークを抑制できる。
【００８７】
本実施形態によれば、第１及び第２の信号電極層６１，６２と第３及び第４のグランド電極層７３，７４とが同一層（第１層５１）に配置されている。第３及び第４の信号電極層６３，６４と第１及び第２のグランド電極層７１，７２とが同一層（第３層５３）に配置されている。そして、中間電極層４１が第１層５１と第３層５３との間の層に配置されている。このため、第１及び第２の信号電極層６１，６２と第３及び第４の信号電極層６３，６４とを互いに異なる層に配置し、且つ、第１及び第２のグランド電極層７１，７２と第３及び第４のグランド電極層７３，７４とを互いに異なる層に配置できる。このため、クロストークを抑制できる。更に、第１〜第８のコンデンサＣ２１〜Ｃ２８を形成すると共に所望の静電容量を得るための信号電極層とグランド電極層と中間電極層の積層総数を少なくできるため、積層コンデンサＣ２（コンデンサ素体２）の低背化を図ることができる。
【００８８】
本実施形態によれば、第１及び第２の信号電極層６１，６２と第３及び第４のグランド電極層７３，７４とが、それぞれ中間電極層４１と誘電体層９を介して対向するように配置されている。第３及び第４の信号電極層６３，６４と第１及び第２のグランド電極層７１，７２とが、それぞれ中間電極層４１と誘電体層９を介して対向するように配置されている。これにより、第１〜第８のコンデンサＣ２１〜Ｃ２８は、中間電極層４１を共有して形成されている。このため、積層コンデンサＣ２の小型化を実現できる。
【００８９】
更に、中間電極層４１は、第１のコンデンサＣ２１と第２のコンデンサＣ２２とを直列接続する機能、第３のコンデンサＣ２３と第４のコンデンサＣ２４とを直列接続する機能、第５のコンデンサＣ２５と第６のコンデンサＣ２６とを直列接続する機能、第７のコンデンサＣ２７と第８のコンデンサＣ２８とを直列接続する機能、を兼ねている。このため、積層コンデンサＣ１の小型化を実現できる。
【００９０】
本実施形態によれば、第１及び第２の信号電極層６１，６２が離間して配置されることにより、第１及び第２の信号電極層６１，６２の間から誘電体層９の表面が露出する。この第１及び第２の信号電極層６１，６２の間から露出した誘電体層９の表面は、積層方向に隣り合う誘電体層９と密着する。このため、誘電体層９間の密着強度を向上させることができる。同様に、第３及び第４の信号電極層６３，６４、第１及び第２のグランド電極層７１，７２、第３及び第４のグランド電極層７３，７４がそれぞれ離間して配置されることにより、各電極層間から誘電体層９の表面が露出する。この電極層の間から露出した誘電体層９の表面は、積層方向に隣り合う誘電体層９と密着する。このため、誘電体層９間の密着強度を向上させることができる。
【００９１】
（第３実施形態）
図７〜図９を参照して、第３実施形態に係る積層コンデンサＣ３の構成について説明する。図７は、本実施形態に係る積層コンデンサに含まれるコンデンサ素体の分解斜視図である。図８は、本実施形態に係る積層コンデンサの断面構成を示す図である。図９は、本実施形態に係る積層コンデンサの等価回路図である。
【００９２】
図７，図８に示されるように、本実施形態に係る積層コンデンサＣ３は、第２実施形態に係る第１〜第４の信号電極層６１〜６４に替えて、第１〜第４の信号電極層８１〜８４を備える。積層コンデンサＣ３は、第２実施形態に係る第１〜第４のグランド電極層７１〜７４に替えて、第１〜第４のグランド電極層９１〜９４を備える。積層コンデンサＣ３は、第２実施形態に係る中間電極層４１に替えて、第１及び第２の中間電極層１０１，１０２を備える。
【００９３】
第１の信号電極層８１は、第２実施形態の第１の信号電極層６１より第１及び第２の側面４，５の対向方向の長さが短い点が異なる。第１の信号電極層８１の端部は、第２実施形態の第１の信号電極層６１と同様に、第１の短側面４に露出している。このため、第１の信号電極層８１と第１の信号端子１１とは、物理的且つ電気的に接続されている。
【００９４】
第３の信号電極層８３は、第２実施形態の第３の信号電極層６３より第１及び第２の側面４，５の対向方向の長さが短い点が異なる。第３の信号電極層８３の端部は、第２実施形態の第３の信号電極層６３と同様に、第２の短側面５に露出している。このため、第３の信号電極層８３と第２の信号端子１２とは、物理的且つ電気的に接続されている。
【００９５】
第２の信号電極層８２と第４の信号電極層８４とは、第２実施形態の第２の信号電極層６２と第４の信号電極層６４とそれぞれ同形状且つ同位置に配置されている。第１及び第３の信号電極層８１，８３は、互いに同程度の面積であり、第２及び第４の信号電極層８２，８４より面積が小さい。
【００９６】
第１〜第４のグランド電極層９１〜９４は、第２実施形態の第１〜第４のグランド電極層７１〜７４と同形状且つ同位置に配置されている。このため、第１及び第３のグランド電極層９１，９３は、第１のグランド端子１３と物理的且つ電気的に接続され、第２及び第４のグランド電極層９２，９４は、第２のグランド端子１４と物理的且つ電気的に接続されている。
【００９７】
第１の信号電極層８１と第１のグランド電極層９１とは、積層方向から見て重なるように配置されている。第１の信号電極層８１が有する領域８１Ａと第１のグランド電極層９１が有する領域９１Ａとは、積層方向から見て互いに重なる領域である。第２の信号電極層８２と第２のグランド電極層９２とは、積層方向から見て重なるように配置されている。第２の信号電極層８２が有する領域８２Ａと第２のグランド電極層９２が有する領域９２Ａとは、積層方向から見て互いに重なる領域である。
【００９８】
第３の信号電極層８３と第３のグランド電極層９３とは、積層方向から見て重なるように配置されている。第３の信号電極層８３が有する領域８３Ａと第３のグランド電極層９３が有する領域９３Ａとは、積層方向から見て互いに重なる領域である。第４の信号電極層８４と第４のグランド電極層９４とは、積層方向から見て重なるように配置されている。第４の信号電極層８４が有する領域８４Ａと第４のグランド電極層９４が有する領域９４Ａとは、積層方向から見て互いに重なる領域である。
【００９９】
第１の中間電極層（第９の電極部）１０１と第２の中間電極層（第１０の電極部）１０２とは、第２実施形態の中間電極層４１を第１及び第２の長側面６，７の対向方向の中央部で、第１の長側面６と平行なラインにそって二分割した形状である。第１の中間電極層１０１と第２の中間電極層１０２とは、第２層５２において互いに離間して配置されている。
【０１００】
第１の中間電極層１０１は、積層方向から見て、第１の信号電極層８１の領域８１Ａ及び第１のグランド電極層９１の領域９１Ａと重なり合う領域１０１Ａを有している。このため、第１の中間電極層１０１の領域１０１Ａと第１の信号電極層８１の領域８１Ａとは、誘電体層９を介して積層方向に互いに対向し、第１のコンデンサＣ３１を構成している。
【０１０１】
第１の中間電極層１０１は、積層方向から見て、第１のグランド電極層９１の領域９１Ｂと重なり合う領域１０１Ｂを有している。このため、第１の中間電極層１０１の領域１０１Ｂと第１のグランド電極層９１の領域９１Ｂとは、第２のコンデンサＣ３２を構成している。なお、領域１０１Ｂは、領域１０１Ａを含む領域である。
【０１０２】
第２の中間電極層１０２は、積層方向から見て、第２の信号電極層８２の領域８２Ａ及び第２のグランド電極層９２の領域９２Ａと重なり合う領域１０２Ａを有している。このため、第２の中間電極層１０２の領域１０２Ａと第２の信号電極層８２の領域８２Ａとは、誘電体層９を介して積層方向に互いに対向し、第３のコンデンサＣ３３を構成している。第２の中間電極層１０２の領域１０２Ａと第２のグランド電極層９２の領域９２Ａとは、誘電体層９を介して積層方向に互いに対向し、第４のコンデンサＣ３４を構成している。
【０１０３】
第１の中間電極層１０１は、積層方向から見て、第３の信号電極層８３の領域８３Ａ及び第３のグランド電極層９３の領域９３Ａと重なり合う領域１０１Ｃを有している。このため、第１の中間電極層１０１の領域１０１Ｃと第３の信号電極層８３の領域８３Ａとは、誘電体層９を介して積層方向に互いに対向し、第５のコンデンサＣ３５を構成している。
【０１０４】
第１の中間電極層１０１は、積層方向から見て、第３のグランド電極層９３の領域９３Ｂと重なり合う領域１０１Ｄを有している。このため、第１の中間電極層１０１の領域１０１Ｄと第３のグランド電極層９３の領域９３Ｂとは、第６のコンデンサＣ３６を構成している。なお、領域１０１Ｄは、領域１０１Ｃを含む領域である。
【０１０５】
第２の中間電極層１０２は、積層方向から見て、第４の信号電極層８４の領域８４Ａ及び第４のグランド電極層９４の領域９４Ａと重なり合う領域１０２Ｂを有している。このため、第２の中間電極層１０２の領域１０２Ｂと第４の信号電極層８４の領域８４Ａとは、誘電体層９を介して積層方向に互いに対向し、第７のコンデンサＣ３７を構成している。第２の中間電極層１０２の領域１０２Ｂと第４のグランド電極層９４の領域９４Ａとは、誘電体層９を介して積層方向に互いに対向し、第８のコンデンサＣ３８を構成している。
【０１０６】
積層コンデンサＣ３において構成される第１及び第５のコンデンサＣ３１，Ｃ３５のコンデンサを構成する電極層の対向面積が、第２〜第４，第６〜第８のコンデンサＣ３２〜Ｃ３４，Ｃ３６〜Ｃ３８を構成する電極層の対向面積より小さい。すなわち、第１及び第５のコンデンサＣ３１，Ｃ３５の静電容量は、第２〜第４，第６〜第８の静電容量より小さい。
【０１０７】
このように構成された積層コンデンサＣ３では、第１の信号端子１１と第２の信号端子１２とは、互いに絶縁され、この第１及び第２の信号端子１１，１２は、第１及び第２のグランド端子１３，１４と絶縁されている。
【０１０８】
図９に示されるように、積層コンデンサＣ３では、第１の信号端子１１と第１のグランド端子１３との間に、第１のコンデンサＣ３１と第２のコンデンサＣ３２との２つのコンデンサが直列接続されている。第１の信号端子１１と第２のグランド端子１４との間に、第３のコンデンサＣ３３と第４のコンデンサＣ３４との２つのコンデンサが直列接続されている。第２の信号端子１２と第１のグランド端子１３との間に、第５のコンデンサＣ３５と第６のコンデンサＣ３６との２つのコンデンサが直列接続されている。第２の信号端子１２と第２のグランド端子１４との間に、第７のコンデンサＣ３７と第８のコンデンサＣ３８との２つのコンデンサが直列接続されている。よって、各端子間の耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。
【０１０９】
本実施形態によれば、第１の中間電極層１０１は、第２，第４の信号電極層８２，８４、第２，第４のグランド電極層９２，９４と積層方向に重なる領域を有していない。第２の中間電極層１０２は、第１，第３の信号電極層８１，８３、第１，第３のグランド電極層９１，９３と積層方向に重なる領域を有していない。このため、第１の中間電極層１０１、第１，第３の信号電極層８１，８３、第１，第３のグランド電極層９１，９３で構成される第１，第２，第５，第６のコンデンサＣ３１，Ｃ３２，Ｃ３５，Ｃ３６と、第２の中間電極層１０２、第２，第４の信号電極層８２，８４、第２，第４のグランド電極層９２，９４で構成される第３，第４，第７，第８のコンデンサＣ３３，Ｃ３４，Ｃ３７，Ｃ３８との間のクロストークを抑制できる。
【０１１０】
図９に示すように、第１の信号端子１１と第１及び第２のグランド端子１３，１４との間で、第１及び第２のコンデンサＣ３１，Ｃ３２と第３及び第４のコンデンサＣ３３，Ｃ３４とが並列接続されている。そして、第１のコンデンサＣ３１は、第２〜第４のコンデンサＣ３２〜Ｃ３４の静電容量より小さい。このため、第１及び第２のコンデンサＣ３１，Ｃ３２による静電容量と第３及び第４のコンデンサＣ３３，Ｃ３４による静電容量とが異なる。すなわち、第１の信号端子１１と第１及び第２のグランド端子１３，１４との間に並列接続されたコンデンサの静電容量が互いに異なる。従って、低インピーダンスである帯域を広くすることができる。
【０１１１】
同様に、第２の信号端子１２と第１及び第２のグランド端子１３，１４との間で、第５及び第６のコンデンサＣ３５，Ｃ３６と第７及び第８のコンデンサＣ３７，Ｃ３８とが並列接続されている。そして、第５のコンデンサＣ３５は、第６〜第８のコンデンサＣ３６〜Ｃ３８の静電容量より小さい。このため、第５及び第６のコンデンサＣ３５，Ｃ３６による静電容量と第７及び第８のコンデンサＣ３７，Ｃ３８による静電容量とが異なる。すなわち、第２の信号端子１２と第１及び第２のグランド端子１３，１４との間に並列接続されたコンデンサの静電容量が互いに異なる。従って、低インピーダンスである帯域を広くすることができる。
【０１１２】
本実施形態によれば、第１の信号電極層８１を第２の信号電極層８２より小さい面積で形成している。この場合、第１の信号電極層８１と第１の中間電極層１０１とによって形成される静電容量と、第２の信号電極層８２と第２の中間電極層１０２とによって形成される静電容量と、を容易に異ならせることができる。すなわち、第１のコンデンサＣ３１と第２〜第４のコンデンサＣ３２〜Ｃ３４との静電容量を容易に異ならせることができる。
【０１１３】
本実施形態によれば、第３の信号電極層８３を第４の信号電極層８４より小さい面積で形成している。この場合、第３の信号電極層８３と第１の中間電極層１０１とによって形成される静電容量と、第４の信号電極層８４と第２の中間電極層１０２とによって形成される静電容量と、を容易に異ならせることができる。すなわち、第５のコンデンサＣ３５と第６〜第８のコンデンサＣ３６〜Ｃ３８との静電容量を容易に異ならせることができる。
【０１１４】
本実施形態によれば、第１及び第２の中間電極層１０１，１０２が同一層に離間して配置されることにより、電極層の間から誘電体層９の表面が露出する。この電極層の間から露出した誘電体層９の表面は、積層方向に隣り合う誘電体層９と密着する。このため、誘電体層９間の密着強度を向上させることができる。
【０１１５】
（第４実施形態）
図１０〜図１２を参照して、第４実施形態に係る積層コンデンサＣ４の構成について説明する。図１０は、本実施形態に係る積層コンデンサに含まれるコンデンサ素体の分解斜視図である。図１１は、本実施形態に係る積層コンデンサの断面構成を示す図である。図１２は、本実施形態に係る積層コンデンサの等価回路図である。
【０１１６】
図１０，図１１に示されるように、本実施形態に係る積層コンデンサＣ４は、第２実施形態に係る第１〜第４の信号電極層６１〜６４と同形状且つ同位置に配置された第１〜第４の信号電極層１１１〜１１４を備える。積層コンデンサＣ４は、第２実施形態に係る第１〜第４のグランド電極層７１〜７４に替えて、第１〜第４のグランド電極層１２１〜１２４を備える。積層コンデンサＣ４は、第３実施形態に係る第１及び第２の中間電極層１０１，１０２に替えて、第１及び第２の中間電極層１３１，１３２を備える。
【０１１７】
第１のグランド電極層１２１は、第２実施形態の第１のグランド電極層７１の第１の短側面４側が短くなっている。第３のグランド電極層１２３は、第２実施形態の第３のグランド電極層７３の第２の短側面５側が短くなっている。第１及び第３のグランド電極層１２１，１２３は、第２実施形態の第１及び第３のグランド電極層７１，７３と同様な引き出し部１２５，１２７を有して第１のグランド端子１３と物理的且つ電気的に接続されている。
【０１１８】
第２及び第４のグランド電極層１２２，１２４は、第２実施形態の第２及び第４のグランド電極層７２，７４と同形状且つ同位置に配置されている。第２及び第４のグランド電極層１２２，１２４は、引き出し部１２６，１２８をそれぞれ有して第２のグランド端子１４と物理的且つ電気的に接続されている。
【０１１９】
第１の信号電極層１１１と第１のグランド電極層１２１とは、積層方向から見て重なるように配置されている。第１の信号電極層１１１が有する領域１１１Ａと第１のグランド電極層１２１が有する領域１２１Ａとは、積層方向から見て互いに重なる領域である。第２の信号電極層１１２と第２のグランド電極層１２２とは、積層方向から見て重なるように配置されている。第２の信号電極層１１２が有する領域１１２Ａと第２のグランド電極層１２２が有する領域１２２Ａとは、積層方向から見て互いに重なる領域である。
【０１２０】
第３の信号電極層１１３と第３のグランド電極層１２３とは、積層方向から見て重なるように配置されている。第３の信号電極層１１３が有する領域１１３Ａと第３のグランド電極層１２３が有する領域１２３Ａとは、積層方向から見て互いに重なる領域である。第４の信号電極層１１４と第４のグランド電極層１２４とは、積層方向から見て重なるように配置されている。第４の信号電極層１１４が有する領域１１４Ａと第４のグランド電極層１２４が有する領域１２４Ａとは、積層方向から見て互いに重なる領域である。
【０１２１】
第１の中間電極層１３１は、第３実施形態の第１の中間電極層１０１の第１及び第２の短側面４，５の対向方向の長さが短くなり、第１及び第２の短側面４，５の対向方向の中央部に配置されている。第１の中間電極層１３１の第１の短側面４側の一辺は、第１のグランド電極層１２１の第１の短側面４側の一辺と積層方向から見て重なっている。第１の中間電極層１３１の第２の短側面５側の一辺は、第３のグランド電極層１２３の第２の短側面５側の一辺と積層方向から見て重なっている。
【０１２２】
第２の中間電極層１３２は、第３実施形態の第２の中間電極層１０２と同形状且つ同位置に配置されている。
【０１２３】
第１の中間電極層１３１は、積層方向から見て、第１の信号電極層１１１の領域１１１Ａ及び第１のグランド電極層１２１の領域１２１Ａと重なり合う領域１３１Ａを有している。このため、第１の中間電極層１３１の領域１３１Ａと第１の信号電極層１１１の領域１１１Ａとは、誘電体層９を介して積層方向に互いに対向し、第１のコンデンサＣ４１を構成している。第１の中間電極層１３１の領域１３１Ａと第１のグランド電極層１２１の領域１２１Ａとは、誘電体層９を介して積層方向に互いに対向し、第２のコンデンサＣ４２を構成している。
【０１２４】
第２の中間電極層１３２は、積層方向から見て、第２の信号電極層１１２の領域１１２Ａ及び第２のグランド電極層１２２の領域１２２Ａと重なり合う領域１３２Ａを有している。このため、第２の中間電極層１３２の領域１３２Ａと第２の信号電極層１１２の領域１１２Ａとは、誘電体層９を介して積層方向に互いに対向し、第３のコンデンサＣ４３を構成している。第２の中間電極層１３２の領域１３２Ａと第２のグランド電極層１２２の領域１２２Ａとは、誘電体層９を介して積層方向に互いに対向し、第４のコンデンサＣ４４を構成している。
【０１２５】
第１の中間電極層１３１は、積層方向から見て、第３の信号電極層１１３の領域１１３Ａ及び第３のグランド電極層１２３の領域１２３Ａと重なり合う領域１３１Ｂを有している。このため、第１の中間電極層１３１の領域１３１Ｂと第３の信号電極層１１３の領域１１３Ａとは、誘電体層９を介して積層方向に互いに対向し、第５のコンデンサＣ４５を構成している。第１の中間電極層１３１の領域１３１Ｂと第３のグランド電極層１２３の領域１２３Ａとは、誘電体層９を介して積層方向に互いに対向し、第６のコンデンサＣ４６を構成している。
【０１２６】
第２の中間電極層１３２は、積層方向から見て、第４の信号電極層１１４の領域１１４Ａ及び第４のグランド電極層１２４の領域１２４Ａと重なり合う領域１３２Ｂを有している。このため、第２の中間電極層１３２の領域１３２Ｂと第４の信号電極層１１４の領域１１４Ａとは、誘電体層９を介して積層方向に互いに対向し、第７のコンデンサＣ４７を構成している。第２の中間電極層１３２の領域１３２Ｂと第４のグランド電極層１２４の領域１２４Ａとは、誘電体層９を介して積層方向に互いに対向し、第８のコンデンサＣ４８を構成している。
【０１２７】
積層コンデンサＣ４において構成される第１，第２，第５，第６のコンデンサＣ４１，Ｃ４２，Ｃ４５，Ｃ４６を構成する電極層の対向面積が、第３，第４，第７，第８のコンデンサＣ４３，Ｃ４４，Ｃ４７，Ｃ４８を構成する電極層の対向面積より小さい。すなわち、第１，第２，第５，第６のコンデンサＣ４１，Ｃ４２，Ｃ４５，Ｃ４６の静電容量は、第３，第４，第７，第８のコンデンサＣ４３，Ｃ４４，Ｃ４７，Ｃ４８の静電容量より小さい。
【０１２８】
このように構成された積層コンデンサＣ４では、第１の信号端子１１と第２の信号端子１２とは、互いに絶縁され、この第１及び第２の信号端子１１，１２は、第１及び第２のグランド端子１３，１４と絶縁されている。
【０１２９】
図１２に示されるように、積層コンデンサＣ４では、第１の信号端子１１と第１のグランド端子１３との間に、第１のコンデンサＣ４１と第２のコンデンサＣ４２との２つのコンデンサが直列接続されている。第１の信号端子１１と第２のグランド端子１４との間に、第３のコンデンサＣ４３と第４のコンデンサＣ４４との２つのコンデンサが直列接続されている。第２の信号端子１２と第１のグランド端子１３との間に、第５のコンデンサＣ４５と第６のコンデンサＣ４６との２つのコンデンサが直列接続されている。第２の信号端子１２と第２のグランド端子１４との間に、第７のコンデンサＣ４７と第８のコンデンサＣ４８との２つのコンデンサが直列接続されている。よって、各端子間の耐圧を向上させることができる。また、各端子間に２つのコンデンサが形成されるので、一方のコンデンサが壊れてショートした場合であっても、他方のコンデンサが端子間に介在しているので、各端子間の絶縁性を保つことができる。
【０１３０】
本実施形態によれば、第１の中間電極層１３１は、第２，第４の信号電極層１１２，１１４、第２，第４のグランド電極層１２２，１２４と積層方向に重なる領域を有していない。第２の中間電極層１３２は、第１，第３の信号電極層１１１，１１３、第１，第３のグランド電極層１２１，１２３と積層方向に重なる領域を有していない。このため、第１の中間電極層１３１、第１，第３の信号電極層１１１，１１３、第１，第３のグランド電極層１２１，１２３で構成される第１，第２，第５，第６のコンデンサＣ４１，Ｃ４２，Ｃ４５，Ｃ４６と、第２の中間電極層１０２、第２，第４の信号電極層８２，８４、第２，第４のグランド電極層９２，９４で構成される第３，第４，第７，第８のコンデンサＣ４３，Ｃ４４，Ｃ４７，Ｃ４８との間のクロストークを抑制できる。
【０１３１】
図１２に示すように、第１の信号端子１１と第１及び第２のグランド端子１３，１４との間で、第１及び第２のコンデンサＣ４１，Ｃ４２と第３及び第４のコンデンサＣ４３，Ｃ４４とが並列接続されている。そして、第１及び第２のコンデンサＣ４１，Ｃ４２は、第３及び第４のコンデンサＣ４３，Ｃ４４の静電容量より小さい。このため、第１の信号端子１１と第１及び第２のグランド端子１３，１４との間に並列接続されたコンデンサの静電容量が互いに異なる。従って、低インピーダンスである帯域を広くすることができる。
【０１３２】
同様に、第２の信号端子１２と第１及び第２のグランド端子１３，１４との間で、第５及び第６のコンデンサＣ４５，Ｃ４６と第７及び第８のコンデンサＣ４７，Ｃ４８とが並列接続されている。そして、第５及び第６のコンデンサＣ４５，Ｃ４６は、第７及び第８のコンデンサＣ４７，Ｃ４８の静電容量より小さい。このため、第２の信号端子１２と第１及び第２のグランド端子１３，１４との間に並列接続されたコンデンサの静電容量が互いに異なる。従って、低インピーダンスである帯域を広くすることができる。
【０１３３】
本実施形態によれば、第１のグランド電極層１２１を第２のグランド電極層１２２より小さい面積で形成し、合わせて、第１の中間電極層１３１を第２の中間電極層１３２より小さい面積で形成している。このため、第１のグランド電極層１２１と第１の中間電極層１３１とによって形成される静電容量と、第２のグランド電極層１２２と第２の中間電極層１３２とによって形成される静電容量と、を容易に異ならせることができる。すなわち、第１及び第２のコンデンサＣ４１，Ｃ４２と第３，第４のコンデンサＣ４３，Ｃ４４との静電容量を容易に異ならせることができる。
【０１３４】
本実施形態によれば、第３のグランド電極層１２３を第４のグランド電極層１２４より小さい面積で形成し、合わせて、第１の中間電極層１３１を第２の中間電極層１３２より小さい面積で形成している。このため、第３のグランド電極層１２３と第１の中間電極層１３１とによって形成される静電容量と、第４のグランド電極層１２４と第２の中間電極層１３２とによって形成される静電容量と、を容易に異ならせることができる。すなわち、第５及び第６のコンデンサＣ４５，Ｃ４６と第７，第８のコンデンサＣ４７，Ｃ４８との静電容量を容易に異ならせることができる。
【０１３５】
以上、本発明の好適な実施形態について説明してきたが、本発明は必ずしも上述した実施形態に限定されるものではなく、その要旨を逸脱しない範囲で様々な変更が可能である。
例えば、第１実施形態において、第２のグランド端子１４を有することとしたが、なくてもよい。第１〜第４の実施形態において、信号電極層及びグランド電極層が配置される層は、上記に限られない。
【図面の簡単な説明】
【０１３６】
【図１】第１実施形態に係る積層コンデンサの斜視図である。
【図２】第１実施形態に係る積層コンデンサに含まれるコンデンサ素体の分解斜視図である。
【図３】第１実施形態に係る積層コンデンサの断面構成を示す図である。
【図４】第１実施形態に係る積層コンデンサの等価回路図である。
【図５】第２実施形態に係る積層コンデンサに含まれるコンデンサ素体の分解斜視図である。
【図６】第２実施形態に係る積層コンデンサの等価回路図である。
【図７】第３実施形態に係る積層コンデンサに含まれるコンデンサ素体の分解斜視図である。
【図８】第３実施形態に係る積層コンデンサの断面構成を示す図である。
【図９】第３実施形態に係る積層コンデンサの等価回路図である。
【図１０】第４実施形態に係る積層コンデンサに含まれるコンデンサ素体の分解斜視図である。
【図１１】第４実施形態に係る積層コンデンサの断面構成を示す図である。
【図１２】第４実施形態に係る積層コンデンサの等価回路図である。
【符号の説明】
【０１３７】
Ｃ１〜Ｃ４…積層コンデンサ、Ｃ１１〜Ｃ１４…第１〜第４のコンデンサ、Ｃ２１〜Ｃ２８，Ｃ３１〜Ｃ３８，Ｃ４１〜Ｃ４８…第１〜第８のコンデンサ、１…コンデンサ素体、９…誘電体層、１１，１２…第１，第２の信号端子、１３，１４…第１，第２のグランド端子、２１，２２…第１，第２の信号電極層、３１，３２…第１，第２のグランド電極層、３１Ａ，３２Ａ…領域、４０，４１…中間電極層、４０Ａ，４０Ｂ，４１Ａ〜４１Ｄ…領域、６１〜６４，８１〜８４，１１１〜１１４…第１〜第４の信号電極層、７１〜７４，９１〜９４，１２１〜１２４…第１〜第４のグランド電極層、１０１，１０２，１３１，１３２…第１，第２の中間電極層。
【図１】
2010045298.tif 000003
【図２】
2010045298.tif 000004
【図３】
2010045298.tif 000005
【図４】
2010045298.tif 000006
【図５】
2010045298.tif 000007
【図６】
2010045298.tif 000008
【図７】
2010045298.tif 000009
【図８】
2010045298.tif 000010
【図９】
2010045298.tif 000011
【図１０】
2010045298.tif 000012
【図１１】
2010045298.tif 000013
【図１２】
2010045298.tif 000014